(57)【要約】【課題】各符号化装置が自律的にＧＯＰ同期を取ることができる符号化システムを得る。【解決手段】符号部３は、画像信号をＧＯＰ単位で符号化する。経過時間演算部８は、基準時刻から現在時刻までの経過時間を求める。現在位置演算部９は、経過時間を１個のＧＯＰの処理に要する処理時間で除算して現在位置を求める。開始位置演算部１０は、現在位置の値の小数点以下を切り上げて開始位置を求める。同期開始時刻演算部１１は、開始位置と処理時間を積算したものを基準時刻に加算して同期開始時刻を求める。停止状態から立ち上がった符号化装置は、他の符号化装置とのＧＯＰ同期を同期開始時刻から開始する。【選択図】図２
2014090270.tif 000002
【特許請求の範囲】
【請求項１】
互いにＧＯＰ（Group Of Picture）同期して画像信号を符号化する複数の符号化装置と、
前記複数の符号化装置の出力を切替選択する切替装置又は前記複数の符号装置の出力を多重化して１つのストリームとして出力する多重化装置とを備え、
各符号化装置は、
前記画像信号をＧＯＰ単位で符号化する符号部と、
基準時刻から現在時刻までの経過時間を求める経過時間演算部と、
前記経過時間を１個のＧＯＰの処理に要する処理時間で除算して現在位置を求める現在位置演算部と、
前記現在位置の値の小数点以下を切り上げて開始位置を求める開始位置演算部と、
前記開始位置と前記処理時間を積算したものを前記基準時刻に加算して同期開始時刻を求める同期開始時刻演算部とを有し、
停止状態から立ち上がった符号化装置は、他の符号化装置とのＧＯＰ同期を前記同期開始時刻から開始することを特徴とする符号化システム。
【請求項２】
各符号化装置は、ＧＰＳ(Global Positioning System)から受信した信号に基づいて前記現在時刻を求める受信部を更に有することを特徴とする請求項１に記載の符号化システム。
【請求項３】
各符号化装置は、インターネットを経由して受信した信号に基づいて前記現在時刻を求める受信部を更に有することを特徴とする請求項１に記載の符号化システム。
【請求項４】
停止状態から立ち上がった前記符号化装置の前記符号部は、前記同期開始時刻からは固定長のＧＯＰ単位で符号化を行い、立ち上がってから前記同期開始時刻までは前記固定長のＧＯＰとは長さが異なる可変長のＧＯＰ単位で符号化を行うことを特徴とする請求項１〜３の何れか１項に記載の符号化システム。
【発明の詳細な説明】
【技術分野】
【０００１】
本発明は、複数の符号化装置が互いにＧＯＰ（Group Of Picture）同期して画像信号を符号化し、それらの出力を切替選択又は多重化する符号化システムに関する。
【背景技術】
【０００２】
従来の符号化システムでは、複数の符号化装置の外側に共通の基準同期情報発生装置とＧＯＰ周期発生装置を設けることにより、複数の符号化装置の符号化出力をＧＯＰ同期させていた（例えば、特許文献１参照）。
【先行技術文献】
【特許文献】
【０００３】
【特許文献１】特開２００１−１７７８２８号公報
【発明の概要】
【発明が解決しようとする課題】
【０００４】
しかし、これらの共通装置が故障するとシステムが動作しなくなるという問題があった。また、共通の基準同期情報発生装置を複数の符号化装置の近傍に設置することを想定しているので、離れた箇所に設置された複数の符号化装置のＧＯＰ同期をとるのは困難という問題もあった。
【０００５】
本発明は、上述のような課題を解決するためになされたもので、その目的は各符号化装置が自律的にＧＯＰ同期を取ることができる符号化システムを得るものである。
【課題を解決するための手段】
【０００６】
本発明に係る符号化システムは、互いにＧＯＰ（Group Of Picture）同期して画像信号を符号化する複数の符号化装置と、前記複数の符号化装置の出力を切替選択する切替装置又は前記複数の符号装置の出力を多重化して１つのストリームとして出力する多重化装置とを備え、各符号化装置は、前記画像信号をＧＯＰ単位で符号化する符号部と、基準時刻から現在時刻までの経過時間を演算する経過時間演算部と、前記経過時間を１個のＧＯＰの処理に要する処理時間で除算して現在位置を演算する現在位置演算部と、前記現在位置の値の小数点以下を切り上げて開始位置を演算する開始位置演算部と、前記開始位置と前記処理時間を積算したものを前記基準時刻に加算して同期開始時刻を演算する同期開始時刻演算部とを有し、各符号化装置は、停止状態から立ち上がった際に、他の符号化装置とのＧＯＰ同期を前記同期開始時刻から開始することを特徴とする。
【発明の効果】
【０００７】
本発明により、各符号化装置が自律的にＧＯＰ同期を取ることができる。
【図面の簡単な説明】
【０００８】
【図１】本発明の実施の形態１に係る符号化システムを示すブロック図である。
【図２】本発明の実施の形態１に係る符号化装置を示すブロック図である。
【図３】故障による停止状態から立ち上がった符号化装置の動作を説明するための図である。
【図４】本発明の実施の形態２に係る符号化システムを示すブロック図である。
【発明を実施するための形態】
【０００９】
本発明の実施の形態に係る符号化システムについて図面を参照して説明する。同じ又は対応する構成要素には同じ符号を付し、説明の繰り返しを省略する場合がある。
【００１０】
実施の形態１．
図１は、本発明の実施の形態１に係る符号化システムを示すブロック図である。複数の符号化装置１ａ〜１ｎは、互いにＧＯＰ（Group Of Picture）同期して画像信号を符号化するビデオエンコーダである。切替装置２は、複数の符号化装置１ａ〜１ｎの出力を切替選択し、画像信号を多重化してデコーダ側に送出する。
【００１１】
図２は、本発明の実施の形態１に係る符号化装置を示すブロック図である。この符号化装置は図１のシステムの各符号化装置１ａ〜１ｎに対応する。符号部３はＧＯＰ単位で画像信号を符号化する。
【００１２】
メモリ４は、全ての符号化装置１ａ〜１ｎで共通となるＧＯＰ同期処理の基準時刻を記憶する。この基準時刻として、定期的に訪れる時刻（毎時ＸＸ分、毎日ＸＸ時等）を指定することが望ましい。
【００１３】
受信部５は、ＧＰＳ(Global Positioning System)衛星６から信号をアンテナ７で受信し、その信号に基づいて現在時刻を求める。経過時間演算部８は、基準時刻から現在時刻までの経過時間を求める。
【００１４】
現在位置演算部９は、経過時間を１個のＧＯＰの処理に要する処理時間（固定長）で除算して現在位置を求める（下記の数式１を参照）。この現在位置は、現在時刻でのＧＯＰ位置が基準時刻のＧＯＰ位置に対して何フレームずれているかを表す。
(数１)
現在位置＝（基準時刻から現在時刻までの経過時間）／（１個のＧＯＰの処理に要する処理時間）・・・（数式１）
【００１５】
開始位置演算部１０は、現在位置の値の小数点以下を切り上げて開始位置を求める。この開始位置は、次のＧＯＰの先頭のフレームの位置を表す。
【００１６】
同期開始時刻演算部１１は、開始位置と１個のＧＯＰの処理に要する処理時間を積算したものを基準時刻に加算して同期開始時刻を求める（下記の数式２を参照）。
(数２)
同期開始時刻＝開始位置＊（１個のＧＯＰの処理に要する処理時間）＋基準時刻・・・（数式２）
【００１７】
図３は、故障による停止状態から立ち上がった符号化装置の動作を説明するための図である。停止状態から立ち上がった符号化装置は他の符号化装置とのＧＯＰ同期を上記の同期開始時刻から開始する。即ち、符号化装置が動作中や停止中などの動作状態に関わらずＧＯＰを連続して処理していると仮定して現在時刻でのＧＯＰ位置が基準時刻でのＧＯＰ位置に対して何フレームずれているかを求め、その結果から同期開始時刻を求めてＧＯＰ同期を取る。これにより、各符号化装置１ａ〜１ｎが自律的にＧＯＰ同期を取ることができる。
【００１８】
従来の符号化システムでは、複数の符号化装置の外側に設けた共通の基準同期情報発生装置やＧＯＰ周期発生装置が故障するとシステムが動作しなくなるという問題があった。また、これらの共通装置と複数の符号化装置との間に遅延のばらつきがあると正確なＧＯＰ同期がとれないという問題もあった。これに対して、本実施の形態では、各符号化装置が自律的にＧＯＰ同期を取ることができるため、共通装置を削除することができ、上記の問題を解決することができる。
【００１９】
また、符号化装置がＧＰＳ衛星６から受信した信号に基づいて現在時刻を求めることにより、遠隔地に有る符号化装置とのＧＯＰ同期が可能となり、多元中継への応用等が期待できる。
【００２０】
なお、ここでは受信部５がＧＰＳ信号をアンテナ７で受信すると説明したが、インターネットの標準時刻をネットワーク経由で受信してもよい。即ち、受信部５は、インターネットを経由して受信した信号に基づいて現在時刻を求めてもよい。これに限らず、どのようなインフラ時計から時刻を受信して現在時刻を求めてもよい。
【００２１】
また、停止状態から立ち上がった符号化装置の符号部３は、同期開始時刻からは固定長のＧＯＰ単位で符号化を行うが、立ち上がってから同期開始時刻までは固定長のＧＯＰとは長さが異なる可変長のＧＯＰ単位で符号化を行ってもよい。これにより、立ち上がってから直ちに符号化を開始することができる。
【００２２】
実施の形態２．
図４は、本発明の実施の形態２に係る符号化システムを示すブロック図である。このシステムは図１の切替装置２を多重化装置１２としたものである。多重化装置１２は、前記符号化装置１ａ〜１ｎからの出力されたストリームを多重化して１つのストリームとして出力する。その他の構成は実施の形態１と同様であり、同様の効果を得ることができる。
【符号の説明】
【００２３】
１ａ〜１ｎ  符号化装置、２  切替装置、３  符号部、５  受信部、８  経過時間演算部、９  現在位置演算部、１０  開始位置演算部、１１  同期開始時刻演算部、１２  多重化装置
【図１】
2014090270.tif 000003
【図２】
2014090270.tif 000004
【図３】
2014090270.tif 000005
【図４】
2014090270.tif 000006